(57)【要約】【課題】利用済みの過熱蒸気を有効活用して熱損失を抑えるとともに、過熱蒸気を生成するために水から飽和蒸気を生成する熱量を抑える。【解決手段】過熱蒸気を生成する過熱蒸気生成部３と、過熱蒸気生成部３に飽和蒸気を供給する蒸気供給流路Ｌ１と、過熱蒸気生成部３により生成された過熱蒸気が供給される過熱蒸気利用部４と、過熱蒸気利用部４を通過した利用済み蒸気を過熱蒸気生成部３に戻す蒸気戻し流路Ｌ３と、過熱蒸気生成部３に戻される利用済み蒸気の流量を測定する流量計８とを備え、過熱蒸気生成部３により生成すべき所望の過熱蒸気の流量と流量計８により得られた利用済み蒸気の流量との差に基づいて、蒸気供給流路Ｌ１から過熱蒸気生成部３に供給する飽和蒸気の流量を制御する。【選択図】図１
2015200487.tif 000002
【特許請求の範囲】
【請求項１】
過熱蒸気を生成する過熱蒸気生成部と、
前記過熱蒸気生成部に飽和蒸気又は過熱蒸気を供給する蒸気供給流路と、
前記過熱蒸気生成部により生成された過熱蒸気が供給される過熱蒸気利用部と、
前記過熱蒸気利用部を通過した利用済み蒸気を前記過熱蒸気生成部に戻す蒸気戻し流路と、
前記蒸気戻し流路に設けられ、前記過熱蒸気生成部に戻される利用済み蒸気の流量を測定する流量計とを備え、
前記過熱蒸気生成部により生成すべき所望の過熱蒸気の流量と前記流量計により得られた利用済み蒸気の流量との差に基づいて、前記蒸気供給流路から前記過熱蒸気生成部に供給する飽和蒸気又は過熱蒸気の流量を制御することを特徴とする過熱蒸気再利用装置。
【請求項２】
前記蒸気戻し流路に設けられ、前記利用済み蒸気が前記過熱蒸気利用部から前記過熱蒸気生成部に至るまで沸点以上の温度に保持するように加熱する加熱装置を備える請求項１記載の過熱蒸気再利用装置。
【請求項３】
前記蒸気戻し流路に設けられ、前記利用済み蒸気に含まれる空気を除去する空気除去装置を備える請求項１又は２記載の過熱蒸気再利用装置。
【請求項４】
前記蒸気供給流路に設けられるとともに、前記蒸気戻し流路が接続されて、前記蒸気戻し流路から前記利用済み蒸気を吸引するスチームエジェクタを備える請求項１乃至３の何れか一項に記載の過熱蒸気再利用装置。
【請求項５】
飽和蒸気を生成する飽和蒸気生成部を備え、
前記蒸気供給流路が、前記飽和蒸気生成部及び前記過熱蒸気生成部を接続するものである請求項１乃至４の何れかに記載の過熱蒸気再利用装置。
【請求項６】
前記蒸気戻し流路に設けられ、前記利用済み蒸気に含まれる水分を除去する気水分離装置と、
前記気水分離装置により分離された水を前記飽和蒸気生成部に戻す水戻し流路とを備える請求項５記載の過熱蒸気再利用装置。
【請求項７】
過熱蒸気を生成する過熱蒸気生成部と、前記過熱蒸気生成部に飽和蒸気又は過熱蒸気を供給する蒸気供給流路と、前記過熱蒸気生成部により生成された過熱蒸気が供給される過熱蒸気利用部と、前記過熱蒸気利用部を通過した利用済み蒸気を前記過熱蒸気生成部に戻す蒸気戻し流路と、前記蒸気戻し流路に設けられ、前記過熱蒸気生成部に戻される利用済み蒸気の流量を測定する流量計とを備えた過熱蒸気再利用装置の使用方法であって、
前記過熱蒸気生成部により生成すべき所望の過熱蒸気の流量と前記流量計により得られた利用済み蒸気の流量との差に基づいて、前記蒸気供給流路から前記過熱蒸気生成部に供給する飽和蒸気又は過熱蒸気の流量を調整することを特徴とする過熱蒸気再利用装置の使用方法。
【発明の詳細な説明】
【技術分野】
【０００１】
本発明は、過熱蒸気を再利用する過熱蒸気再利用装置及びその使用方法に関するものである。
【背景技術】
【０００２】
近年、過熱蒸気を用いて、被処理物の洗浄、乾燥又は殺菌を行う過熱蒸気処理装置が考えられている。
【０００３】
ここで、蒸気は、沸点温度の水が沸点温度の蒸気に状態変化するのに必要な潜熱が一番大きく、例えば７００℃の過熱蒸気では、６０℃の水を１３０℃の飽和蒸気にする熱量と、１３０℃の飽和蒸気を７００℃の過熱蒸気にする熱量との比は、およそ２：１である。つまり、利用後の蒸気を廃棄することは、大きな熱量損失となるため、再利用することが望ましい。
【０００４】
過熱蒸気を再利用する装置としては、特許文献１に示すように、熱処理室内の温度に基づいて、過熱装置から熱処理室へ供給される過熱蒸気の温度及び供給量と、過熱装置の蒸気入口側へ戻す過熱蒸気の戻し流量を制御するように構成された熱処理装置がある。
【０００５】
しかしながら、上記の熱処理装置では、熱処理室内の温度に基づいて、過熱装置の蒸気入口側へ戻す過熱蒸気の戻し流量を制御しているため、熱処理室を通過した利用済みの蒸気のうち一部は排出され、熱量損失の問題を根本的に解決するものではない。
【先行技術文献】
【特許文献】
【０００６】
【特許文献１】特開２００６−２２６５６１号公報
【発明の概要】
【発明が解決しようとする課題】
【０００７】
そこで本発明は、上記問題点を解決すべくなされたものであり、利用済みの過熱蒸気を有効活用して熱量損失を抑えるとともに、過熱蒸気を生成するために水から飽和蒸気を生成する熱量を可及的に少なくすることをその主たる所期課題とするものである。
【課題を解決するための手段】
【０００８】
すなわち本発明に係る過熱蒸気再利用装置は、過熱蒸気を生成する過熱蒸気生成部と、前記過熱蒸気生成部に飽和蒸気又は過熱蒸気を供給する蒸気供給流路と、前記過熱蒸気生成部により生成された過熱蒸気が供給される過熱蒸気利用部と、前記過熱蒸気利用部を通過した利用済み蒸気を前記過熱蒸気生成部に戻す蒸気戻し流路と、前記蒸気戻し流路に設けられ、前記過熱蒸気生成部に戻される利用済み蒸気の流量を測定する流量計とを備え、前記過熱蒸気生成部により生成すべき所望の過熱蒸気の流量と前記流量計により得られた利用済み蒸気の流量との差に基づいて、前記蒸気供給流路から前記過熱蒸気生成部に供給する飽和蒸気又は過熱蒸気の流量を制御することを特徴とする。
【０００９】
このようなものであれば、過熱蒸気利用部を通過した利用済み蒸気を、蒸気戻し流路により、過熱蒸気生成部に戻すように構成しているので、利用済み蒸気を廃棄することにより生じる熱量損失を抑えることができる。また、利用済み蒸気を水に状態変化させることなく、潜熱を有した状態で過熱蒸気生成部に戻しているので、これによっても熱量損失を抑えることができる。さらに、過熱蒸気生成部により生成すべき所望の過熱蒸気の流量と、過熱蒸気生成部に戻される利用済み蒸気の流量との差に基づいて、蒸気供給流路から過熱蒸気生成部に供給する飽和蒸気又は過熱蒸気の流量を制御するので、水から飽和蒸気を生成するための熱量を可及的に少なくすることができる。
【００１０】
より具体的には、前記過熱蒸気生成部により生成すべき所望の過熱蒸気の流量に対して、前記流量計により得られた利用済み蒸気の流量の不足分を、蒸気供給流路から過熱蒸気生成部に供給する飽和蒸気又は過熱蒸気の流量で補うことが望ましい。
【００１１】
蒸気戻し流路には、前記流量計をはじめ種々の装置が設けられることになる。そうすると、利用済み蒸気の一部が蒸気戻し流路を通過する途中で冷却されて水に戻ってしまい、種々の問題が生じる。例えば、利用済み蒸気が冷却されて生じた温水は排出されるため、熱量損失になってしまう。また、利用済み蒸気と温水とが混ざり合い、又は高温機器や低温機器に接触して液化と気化とを繰り返す状況下では、蒸気温度の安定化を図ることが困難である。さらに、蒸気の液化と気化による体積の大きな変動に伴って生じるウォーターハンマーによる配管や計器などの損傷に繋がることがある。
これらの問題を解決するためには、前記蒸気戻し流路に設けられ、前記利用済み蒸気が前記過熱蒸気利用部から前記過熱蒸気生成部に至るまで沸点以上の温度を保持するように加熱する加熱装置を備えることが望ましい。
加熱装置の具体的な実施の態様としては、例えば配管を誘導加熱する誘導加熱装置や、配管を通電加熱する通電加熱装置であることが考えられる。さらに、蒸気戻し流路の終点（蒸気戻し流路と過熱蒸気生成部との接続部分（過熱蒸気生成部への入口部分））における蒸気温度を検出して、当該蒸気戻し流路の終点における蒸気温度が沸点以上の温度になるようにカスケード制御することが望ましい。
【００１２】
過熱蒸気を利用する過熱蒸気利用部や蒸気戻し流路を完全な密閉状態にすることは難しいため、蒸気戻し流路から過熱蒸気生成部に戻る利用済み蒸気に空気が混合することが考えられる。このため、前記蒸気戻し流路に設けられ、前記利用済み蒸気に含まれる空気を除去する空気除去装置を備えることが望ましい。これならば、利用済み蒸気から空気を除去することができ、過熱蒸気の低酸素化及び高い伝熱特性を得ることができる。
【００１３】
前記蒸気供給流路に設けられるとともに、前記蒸気戻し流路が接続されて、前記蒸気戻し流路から前記利用済み蒸気を吸引するスチームエジェクタを備えることが望ましい。これならば、スチームエジェクタの作用によって、利用済み蒸気を外部の駆動力を用いることなく、過熱蒸気生成部に戻すことができる。
【００１４】
過熱蒸気再利用装置の具体的な実施の態様としては、飽和蒸気を生成する飽和蒸気生成部を備え、前記蒸気供給流路が、前記飽和蒸気生成部及び前記過熱蒸気生成部を接続するものであることが望ましい。
これならば、過熱蒸気再利用装置に水を供給するだけで過熱蒸気利用部に過熱蒸気を供給することができる。また、過熱蒸気再利用装置の外部に設けられた別の飽和蒸気生成装置を不要にすることができ、それらを接続する外部配管を不要にすることができる。
【００１５】
蒸気戻し流路を流れる利用済み蒸気は、加熱装置によって沸点以上の温度となるように加熱されても、蒸気戻し流路における温度が低い部分（例えば蒸気戻し流路を形成する配管や、蒸気戻し流路に設けられた種々の装置等）に接触して、利用済み蒸気の一部が水に戻ってしまう場合がある。このため、前記蒸気戻し流路に設けられ、前記利用済み蒸気に含まれる水分を除去する気水分離装置と、前記気水分離装置により分離された水を前記飽和蒸気生成部に戻す水戻し流路とを備えることが望ましい。
【００１６】
また本発明に係る過熱蒸気再利用装置の使用方法は、過熱蒸気を生成する過熱蒸気生成部と、前記過熱蒸気生成部に飽和蒸気又は過熱蒸気を供給する蒸気供給流路と、前記過熱蒸気生成部により生成された過熱蒸気が供給される過熱蒸気利用部と、前記過熱蒸気利用部を通過した利用済み蒸気を前記過熱蒸気生成部に戻す蒸気戻し流路と、前記蒸気戻し流路に設けられ、前記過熱蒸気生成部に戻される利用済み蒸気の流量を測定する流量計とを備えた過熱蒸気再利用装置の使用方法であって、前記過熱蒸気生成部により生成すべき所望の過熱蒸気の流量と前記流量計により得られた利用済み蒸気の流量との差に基づいて、前記蒸気供給流路から前記過熱蒸気生成部に供給する飽和蒸気又は過熱蒸気の流量を調整することを特徴とする。
【発明の効果】
【００１７】
このように構成した本発明によれば、利用済みの過熱蒸気を有効活用して熱量損失を抑えるとともに、過熱蒸気を生成するために水から飽和蒸気を生成する熱量を可及的に少なくすることができる。
【図面の簡単な説明】
【００１８】
【図１】本実施形態の過熱蒸気再利用装置の構成を模式的に示す図。
【図２】変形実施形態の過熱蒸気再利用装置の構成を模式的に示す図。
【図３】変形実施形態の過熱蒸気再利用装置の構成を模式的に示す図。
【図４】変形実施形態の過熱蒸気再利用装置の構成を模式的に示す図。
【発明を実施するための形態】
【００１９】
以下に本発明に係る過熱蒸気再利用装置の一実施形態について図面を参照して説明する。
【００２０】
本実施形態に係る過熱蒸気再利用装置１００は、利用済み蒸気を排出することなく循環させて被処理物の処理に再利用するものであり、図１に示すように、水から飽和蒸気を生成する飽和蒸気生成部２と、当該飽和蒸気生成部２により生成された飽和蒸気から過熱蒸気を生成する過熱蒸気生成部３と、当該過熱蒸気生成部３により生成された過熱蒸気が供給される過熱蒸気利用部４とを備えている。
【００２１】
飽和蒸気生成部２は、例えば誘導加熱方式又は通電加熱方式のものであり、水が導入される導入ポート２１及び飽和蒸気を導出する導出ポート２２を有する。誘導加熱方式の場合には、導入ポート２１及び導出ポート２２を有する例えばコイル状の中空導体管（不図示）と、当該中空導体管を誘導加熱する誘導コイル（不図示）と、当該誘導コイルに交流電圧を印加する交流電源回路（不図示）とを備えたものであり、当該誘導コイルに交流電圧を印加することによって、中空導体管に誘導電流を流すことによりジュール発熱させて、中空導体管に導入された水を飽和蒸気に状態変化させるものとすることが考えられる。また、通電加熱方式の場合には、導入ポート２１及び導出ポート２２を有する例えばコイル状又は直管状の中空導体管（不図示）と、当該中空導体管に直流電圧を印加する直流電源回路（不図示）とを備えたものであり、中空導体管に直流電流を流すことによりジュール発熱させて、中空導体管に導入された水を飽和蒸気に状態変化させるものとすることが考えられる。何れの方式の場合であっても、中空導体管に印加する電圧又は中空導体管に流れる電流を制御することによって、中空導体管の導出ポート２２から導出される飽和蒸気の温度を制御する。
【００２２】
過熱蒸気生成部３は、前記飽和蒸気生成部２と同様、例えば誘導加熱方式又は通電加熱方式のものであり、飽和蒸気が導入される導入ポート３１及び過熱蒸気を導出する導出ポート３２を有する。誘導加熱方式の場合には、導入ポート３１及び導出ポート３２を有する例えばコイル状の中空導体管（不図示）と、当該中空導体管を誘導加熱する誘導コイル（不図示）と、当該誘導コイルに交流電圧を印加する交流電源回路（不図示）とを備えたものであり、当該誘導コイルに交流電圧を印加することによって、中空導体管に誘導電流を流すことによりジュール発熱させて、中空導体管に導入された飽和蒸気を過熱蒸気に状態変化させるものとすることが考えられる。また、通電加熱方式の場合には、導入ポート３１及び導出ポート３２を有する例えばコイル状又は直管状の中空導体管と、当該中空導体管に直流電圧を印加する直流電源回路とを備えたものであり、中空導体管に直流電流を流すことによりジュール発熱させて、中空導体管に導入された飽和蒸気を過熱蒸気に状態変化させるものとすることが考えられる。何れの方式の場合であっても、中空導体管に印加する電圧又は中空導体管に流れる電流を制御することによって、中空導体管の導出ポート３２から導出される過熱蒸気の温度を制御する。
【００２３】
過熱蒸気利用部４は、過熱蒸気によって被処理物を熱処理（例えば洗浄、乾燥、焼成又は殺菌）するものであり、被処理物を収容するとともに、密閉空間又は略密閉空間を形成する被処理物収容部４１と、当該被処理物収容部４１に設けられ、過熱蒸気が導入される導入ポート４２と、被処理物収容部４１で生じたドレン水を排出するドレン排出ポート４３と、被処理物収容部を通過した利用済み蒸気を排出する蒸気排出ポート４４とを有している。
【００２４】
そして、この過熱蒸気再利用装置１００において、飽和蒸気生成部２と過熱蒸気生成部３とは、飽和蒸気生成部２により生成された飽和蒸気を過熱蒸気生成部３に供給する蒸気供給流路Ｌ１（以下、飽和蒸気供給流路Ｌ１という。）により接続されている。具体的に飽和蒸気供給流路Ｌ１は、飽和蒸気生成部２の導出ポート２２と過熱蒸気生成部３の導入ポート３１とを接続するものである。
【００２５】
また、過熱蒸気生成部３及び過熱蒸気利用部４とは、過熱蒸気生成部３により生成された過熱蒸気を過熱蒸気利用部４に供給するための過熱蒸気供給流路Ｌ２により接続されている。具体的に過熱蒸気供給路Ｌ２は、過熱蒸気生成部３の導出ポート３２と、過熱蒸気利用部４の導入ポート４２とを接続するものである。
【００２６】
そして、本実施形態の過熱蒸気再利用装置１００は、過熱蒸気利用部４を通過した利用済み蒸気を過熱蒸気生成部３に戻す蒸気戻し流路Ｌ３を有する。本実施形態の蒸気戻し流路Ｌ３は、利用済み蒸気を飽和蒸気生成部２及び過熱蒸気生成部３の間の飽和蒸気導入流路Ｌ１に戻すことにより、利用済み蒸気を導入ポート３１を介して過熱蒸気生成部３に戻すものである。具体的に蒸気戻し流路Ｌ３は、過熱蒸気利用部４の蒸気排出ポート４４と、飽和蒸気導入路Ｌ１とを接続するものである。なお、蒸気戻し流路Ｌ３は、飽和蒸気導入流路Ｌ１に接続されることなく、過熱蒸気生成部３に直接接続される構成としても良い。
【００２７】
この蒸気戻し流路Ｌ３には、過熱蒸気利用部４の蒸気排出ポート４４側から、加熱装置５、不純物除去装置６、気水分離装置７及び流量計８が、この順で設けられている。
【００２８】
加熱装置５は、利用済み蒸気が過熱蒸気利用部４から過熱蒸気生成部３に至るまで沸点以上の温度（例えば１００℃以上）を保持するように加熱するものである。この加熱装置による温度制御は、例えば蒸気戻し流路Ｌ３の終点、本実施形態では蒸気戻し流路Ｌ３及び飽和蒸気供給流路Ｌ１の接続部分における利用済み蒸気の温度を図示しない温度センサにより検出して、当該検出された利用済み蒸気の温度が沸点以上の温度となるようにカスケード制御することが考えられる。この加熱装置５により利用済み蒸気を過熱蒸気生成部３に至るまで沸点以上の温度を保持するように加熱しているので、液化に伴う熱量損失、蒸気温度の変動及びウォーターハンマーによる損傷を抑えることができる。
【００２９】
不純物除去装置６は、過熱蒸気による熱処理により生じた不純物を利用済み蒸気から除去するものである。この不純物除去装置６は、除去すべき物質毎に適した装置を選定又は製作する必要があるが、当然のことながら、沸点以下の低温に冷却して不純物を除去する装置は適さない。つまり、不純物除去装置６は、沸点以上の温度において、利用済み蒸気から不純物を除去する性能を有するものである。なお、不純物除去装置６が、利用済み蒸気を沸点以上の所定の高温に加熱して成分分解して除去するものであっても良いが、この場合は、前記加熱装置５にその役割を分担させるように構成しても良い。
【００３０】
気水分離装置７は、利用済み蒸気に含まれる水分を除去するものである。この気水分離装置７には、当該気水分離装置７により分離されたドレン水を飽和蒸気生成部２に戻す水戻し流路Ｌ４が接続されている。具体的に水戻し流路Ｌ４は、飽和蒸気生成部２の導入ポート２１に接続されたタンク１１に接続されている。なお、タンク１１には、水戻し流路Ｌ４の他に、水供給流路Ｌ５が接続されている。
【００３１】
流量計８は、過熱蒸気生成部３に戻される利用済み蒸気の流量を測定するものである。本実施形態では、後述する空気除去装置９、不純物除去装置６及び気水分離装置７により、空気、不純物及び水が除去された利用済み蒸気の流量を測定するように構成されている。これにより、過熱蒸気生成部３に戻される利用済み蒸気の流量を精度良く測定することができる。
【００３２】
また、蒸気戻し流路Ｌ３において、加熱装置５及び不純物除去装置６の間には、空気除去装置９が設けられている。この空気除去装置９は、利用済み蒸気に含まれる空気を除去するものであり、例えば、空気溜まり空間を形成するチャンバと、当該チャンバに設けられた排出弁とを備えたものである。この空気除去装置９により利用済み蒸気に含まれる空気を除去しているので、過熱蒸気の低酸素化を図り、高い伝熱特性を得ることができる。
【００３３】
さらに、蒸気戻し流路Ｌ３には、過熱蒸気発生部３に戻す利用済み蒸気の圧力を調整するための圧力調整機構１０が設けられている。
【００３４】
この圧力調整機構１０は、過熱蒸気利用部３を通過した利用済み蒸気の圧力の低下を元に戻すものであり、加圧ポンプ等の加圧装置１０１及び減圧弁等の減圧装置１０２から構成されている。本実施形態では、加圧装置１０１は、不純物除去装置６及び気水分離装置７の間に設けられており、減圧装置１０２は、気水分離器７及び流量計８の間に設けられている。これら加圧装置１０１及び減圧装置１０２により、蒸気戻り流路Ｌ３から飽和蒸気供給流路Ｌ１に戻される利用済み蒸気の圧力を、飽和蒸気生成部２の導出ポート２２から導出された飽和蒸気の圧力と同じ圧力となるように制御している。これにより、利用済み蒸気が再利用されて生成された過熱蒸気の圧力低下を防止することができる。
【００３５】
このように構成された過熱蒸気再利用装置１００における過熱蒸気の再利用に伴う動作について説明する。
【００３６】
運転の初期段階においては、飽和蒸気生成部２により飽和蒸気を生成するとともに、過熱蒸気生成部３により過熱蒸気を生成して過熱蒸気利用部４に過熱蒸気を供給する。そうすると、過熱蒸気利用部４を通過した利用済み蒸気が、蒸気戻り流路Ｌ３を通って、飽和蒸気供給流路Ｌ３及び過熱蒸気生成部３に戻る。
【００３７】
この段階において、前記流量計８により測定された利用済み蒸気の流量に基づいて、飽和蒸気供給流路Ｌ１から過熱蒸気生成部３に供給される飽和蒸気の流量、つまり、飽和蒸気生成部２により生成する飽和蒸気の流量を制御する。
【００３８】
具体的には、過熱蒸気生成部３により生成すべき所望の過熱蒸気の流量と、流量計８により得られた利用済み蒸気の流量との差に基づいて、飽和蒸気供給流路Ｌ１から過熱蒸気生成部３に供給する飽和蒸気又は過熱蒸気の流量を制御する。より詳細には、飽和蒸気供給流路Ｌ１から過熱蒸気生成部２に供給する飽和蒸気の流量（Ｑ３）を、過熱蒸気生成部３により生成すべき所望の過熱蒸気の流量（Ｑ１）に対する、流量計８により得られた利用済み蒸気の流量（Ｑ２）の不足分（Ｑ１−Ｑ２）としている。
【００３９】
本実施形態では、飽和蒸気生成部２及びタンク１１の間の流路にマスフローコントローラ等の流量調整機構を設けており、当該流量調整機構を制御して飽和蒸気生成部２に供給する水の量を制御することによって、飽和蒸気生成部２から過熱蒸気生成部３に供給される飽和蒸気の量を制御するようにしている。なお、前記流量調整機構の制御は、図示しない制御装置により自動的に行うことが考えられる。その他、飽和蒸気生成部２の電源回路を図示しない制御装置で制御することによって、生成される飽和蒸気の流量を制御しても良いし、飽和蒸気供給流路Ｌ１にマスフローコントローラ等の流量調整機構を設けることによって、当該流量調整機構を図示しない制御装置で制御することによって、飽和蒸気供給流路Ｌ１から過熱蒸気生成部３に供給される飽和蒸気の流量を制御しても良い。
【００４０】
次に、本実施形態の過熱蒸気再利用装置１００を用いた過熱蒸気リサイクル試験の結果について説明する。
【００４１】
１．運転条件
過熱蒸気出力温度      ２５０℃
飽和蒸気温度          １３０℃
入水量                ３２．７５ｋｇ／ｈ
電力量                ２９．８３ｋＷ
【００４２】
２．計算
飽和蒸気生成電力      ２４．３７ｋＷ
過熱蒸気生成電力      ＝全電力量−飽和蒸気生成電力量
＝２９．８３−２４．３７
＝５．４６ｋＷ
３２．７５ｋｇの過熱水蒸気生成電力は、２．７２ｋＷであるから、
リサイクル蒸気分電力  ＝５．４６−２．７２
＝２．７４ｋＷ
【００４３】
２５０℃蒸気が１００℃で帰還していると仮定すると（未計測）、２．７４ｋＷ電力で１００℃→２５０℃に昇温できる蒸気量は、約３３ｋｇとなる。
【００４４】
帰還蒸気温度が１００℃以上２５０℃以下であることを考えると、少なくとも３３ｋｇ以上の蒸気量がリサイクルされていると判断できる。
合計蒸気量            ＝３２．７５＋３３
＝６５．７５ｋｇ／ｈ
リサイクル蒸気量      ＝３３ｋｇ／ｈ
【００４５】
また、電力的には、リサイクル蒸気量３３ｋｇ／ｈに飽和蒸気生成電力分が含まれており、その値は２４．５６ｋＷ／ｈである。
したがって、リサイクルされている蒸気には、電気量にして２．７４＋２４．５６＝２７．３ｋＷに相当するエネルギーが含まれている。
つまり、リサイクルしない場合の２５０℃過熱蒸気を６５．７５ｋｇ／ｈ生成するのに必要な電力約５４．４ｋＷ（＝２４．３７＋２４．５６＋５．４６）に対し、約５０％がリサイクルされている計算となる。
【００４６】
このように構成した過熱蒸気再利用装置１００によれば、過熱蒸気利用部４を通過した利用済み蒸気を、蒸気戻し流路Ｌ３により、過熱蒸気生成部３に戻すように構成しているので、利用済み蒸気を廃棄することにより生じる熱量損失を抑えることができる。また、利用済み蒸気を水に状態変化させることなく、潜熱を有した状態で過熱蒸気生成部３に戻しているので、これによっても熱量損失を抑えることができる。さらに、過熱蒸気生成部３により生成すべき所望の過熱蒸気の流量と、過熱蒸気生成部３に戻される利用済み蒸気の流量との差に基づいて、飽和蒸気供給流路Ｌ１から過熱蒸気生成部３に供給する飽和蒸気の流量を制御するので、水から飽和蒸気を生成するための熱量を可及的に少なくすることができる。
【００４７】
なお、本発明は前記実施形態に限られるものではない。
例えば、前記実施形態の過熱蒸気再利用装置１００は、飽和蒸気生成部２を有するものであったが、飽和蒸気生成部２を有さないものであっても良い。この場合、図２に示すように、過熱蒸気再利用装置１００とは別に設けられた飽和蒸気生成装置（不図示）により生成された飽和蒸気を受け取る飽和蒸気導入ポートＰ１を有しており、この飽和蒸気導入ポートＰ１に飽和蒸気供給流路Ｌ１が接続されている。また、過熱蒸気再利用装置１００には、飽和蒸気生成部２に水を供給するためのタンク１１が設けられていないため、気水分離装置７により分離されたドレン水は、外部の飽和蒸気生成装置のタンク（不図示）にドレン水を戻す構成とすることが考えられる。
【００４８】
また、前記実施形態では、過熱蒸気生成部３は、前段に設けられた飽和蒸気生成部２により生成された飽和蒸気を受け取る構成としているが、飽和蒸気生成部２が飽和蒸気をそれ以上に加熱して過熱蒸気を生成するものの場合には、過熱蒸気を受け取り、受け取った過熱蒸気をさらに加熱して、過熱蒸気利用部４に供給する所望温度の過熱蒸気を生成する構成としても良い。
【００４９】
また、図３及び図４に示すように、前記蒸気供給流路Ｌ１にスチームエジェクタ１２を設けて、当該スチームエジェクタ１２に蒸気戻し流路Ｌ３を接続する構成としても良い。これにより、スチームエジェクタ１２の内部に形成される負圧空間に前記蒸気戻し流路Ｌ３から利用済み蒸気が吸引されて、その利用済み蒸気が過熱蒸気生成部３に戻される。このようにスチームエジェクタ１２を用いることにより、蒸気戻す流路Ｌ３に設けられる種々の装置を不要にしても利用済み蒸気を過熱蒸気生成部に戻すことができ、過熱蒸気再利用装置の構成を簡略化することができる。
【００５０】
さらに、蒸気戻り流路Ｌ３に設けられる各装置の配置順は、前記実施形態に限られず、適宜変更することができる。
【００５１】
その上、過熱蒸気利用部４により生じたドレン水を飽和蒸気生成部２の前段に設けられたタンク１１に戻す構成としても良い。
【００５２】
その他、本発明は前記実施形態に限られず、その趣旨を逸脱しない範囲で種々の変形が可能であるのは言うまでもない。
【符号の説明】
【００５３】
１００・・・過熱蒸気再利用装置
Ｌ１  ・・・飽和蒸気供給流路
Ｌ２  ・・・飽和蒸気供給流路
Ｌ３  ・・・蒸気戻し流路
Ｌ４  ・・・水戻し流路
２    ・・・飽和蒸気生成部
３    ・・・過熱蒸気生成部
４    ・・・過熱蒸気利用部
５    ・・・加熱装置
６    ・・・不純物除去装置
７    ・・・気水分離装置
８    ・・・流量計
９    ・・・空気除去装置
１０１・・・加圧装置
１０２・・・減圧装置
１１  ・・・タンク
【図１】
2015200487.tif 000003
【図２】
2015200487.tif 000004
【図３】
2015200487.tif 000005
【図４】
2015200487.tif 000006